(57)【特許請求の範囲】
【請求項１】
データ伝達信号の受信機（１）のためのデータ処理装置（１５）であって、
ローカルクロック信号（ＣＬＫ）によってクロックが供給され、数値制御発振器（２５）を備える数値位相同期ループを含み、この数値制御発振器（２５）は出力において、少なくとも１つのパルス信号（ＩP、ＱP）を生成し、その位相及び周波数は、クロック／データ復元回路の入力で受信したデータ信号（ＤOUT）に基づいて適合させることができる、クロック／データ復元回路（１６）と、
前記クロック／データ復元回路に接続されるプロセッサ回路（１７）とを具備し、
前記プロセッサ回路は、前記数値制御発振器（２５）の数値入力信号（ＮＣＯIN）の経時平均及び経時分散を計算し、計算された前記平均及び前記分散が所定のコヒーレンス閾値より小さい場合は、前記データ信号が正確であると判断し、そのデータ信号のコヒーレンスを求め、かつ、前記数値制御発振器の数値入力信号（ＮＣＯIN）の計算された前記平均又は前記分散が所定のコヒーレンス閾値を超える場合に、即座に前記受信機の完全リセットを強制することを特徴としたデータ処理装置。
【請求項２】
前記数値制御発振器は、出力において、同相パルス信号（ＩP）及び直交位相パルス信号（ＱP）を供給することを特徴とする請求項１に記載のデータ処理装置（１５）。
【請求項３】
前記数値位相同期ループは、入力でデータ信号（ＤOUT）を受信して、前記データ信号をオーバーサンプリングするために前記ローカルクロック信号（ＣＬＫ）によってクロックが供給される第１のクロックカウンタ（２１）を含み、前記第１のカウンタは、前記数値制御発振器（２５）によって供給される前記直交位相パルス信号（ＱP）の各パルスで、リセット入力（ＱR）でリセットされるように配置され、前記データ信号の２値遷移後のリセット時の前記第１のカウンタの出力信号値（ＨOUT）によって、前記数値制御発振器を適合させることを可能にすることを特徴とする請求項２に記載のデータ処理装置（１５）。
【請求項４】
前記数値制御発振器（２５）によって供給された前記同相パルス信号（ＩP）が、復元されたデータクロック信号（ＲH）を定義することを特徴とする請求項２に記載のデータ処理装置（１５）。
【請求項５】
前記数値位相同期ループは、前記データ信号（ＤOUT）の２値遷移後の前記直交位相パルス信号（ＱP）の１パルスの間に、数値入力信号（ＮＣＯIN）を前記数値制御発振器（２５）に供給するために、前記クロックカウンタ（２１）の前記出力信号（ＨOUT）をフィルタリングするための数値ループフィルタ（２３）を含むことを特徴とする請求項３に記載のデータ処理装置（１５）。
【請求項６】
前記ループフィルタ（２３）は、前記第１のカウンタ（２１）に関する出力信号を係数Ｋ、例えば０．２５で減衰させて、前記数値入力信号（ＮＣＯIN）を供給することを特徴とする、請求項５に記載のデータ処理装置（１５）。
【請求項７】
前記クロック／データ復元回路（１６）は、入力で前記データ信号（ＤOUT）を受信して、前記データ信号をオーバーサンプリングするために前記ローカルクロック信号（ＣＬＫ）によってクロックが供給される第２のデータビットカウンタ（２４）を含み、該第２のデータビットカウンタ（２４）は、前記数値制御発振器によって供給された前記同相パルス信号（ＩP）の各パルスで、リセット入力（ＩR）でリセットされることを特徴とする請求項１〜６のいずれか１項に記載のデータ処理装置（１５）。
【請求項８】
前記クロック／データ復元回路（１６）は、復元されたデータ信号（ＲH）を出力に供給するために前記第２のデータビットカウンタ（２４）の出力信号（ＢOUT）を受信する遷移検出器（２６）を含むことを特徴とする請求項７に記載のデータ処理装置（１５）。
【請求項９】
前記数値位相同期ループは、前記第１のクロックカウンタ（２１）の前記出力信号（ＨOUT）に、前記第２のデータビットカウンタの前記出力信号（ＢOUT）を乗算するための乗算器（２２）を含み、極性が、現在のデータ信号ビット（ＤOUT）に適合される前記第１のクロックカウンタ（２１）の前記出力信号（ＨOUT）を前記ループフィルタ（２３）に供給するために、前記出力信号（ＨOUT）が「１」であるデータ信号ビット値には値「＋１」を、「０」であるデータ信号ビットには値「−１」をとるように調整されることを特徴とする請求項７に記載のデータ処理装置（１５）。
【請求項１０】
前記遷移検出器（２６）は、前記数値制御発振器（２５）の前記同相パルス信号（ＩP）によってクロックが供給され、前記遷移検出器は前記データ信号のビットから別のビットへの２値遷移を検出しない場合、数値制御発振器に供給される前の前記数値入力信号（ＮＣＯIN）を保持させる制御信号を前記ループフィルタ（２３）に供給することを特徴とする請求項８に記載のデータ処理装置（１５）。
【請求項１１】
前記プロセッサ回路（１７）は、前記数値制御発振器の前記数値入力信号（ＮＣＯIN）の経時平均及び経時分散を計算し、前記データ信号（ＤOUT）のコヒーレンスを求めるために、移動平均アルゴリズム及び／又は移動最大−最小アルゴリズムが保存される格納手段を含むことを特徴とする請求項１に記載のデータ処理装置（１５）。
【請求項１２】
データ伝達信号の受信機（１）であって、
データ伝達信号を受信するためのアンテナ（２）と、
前記アンテナで受信した信号を増幅及びフィルタリングする少なくとも１つの低ノイズ増幅器（３）と、
高周波発振信号（ＳI、ＳQ）を供給する局部発振器（６）と、
周波数が、前記高周波発振信号の周波数と受信信号の搬送波周波数との差に等しい中間信号（ＩINT、ＱINT）を発生させるために、受信したフィルタリング及び増幅された信号を、前記局部発振器によって供給される前記高周波発振信号とミキシングする少なくとも１つのミキサー装置（４、５）と、
前記中間信号をフィルタリングする少なくとも１つのローパスフィルタ（８、９）と、
請求項１〜１１のいずれか１項に記載のデータ処理装置（１５）に、データ信号（ＤOUT）を供給するために、フィルタリングされた前記中間信号を受信する復調器（１２）とを具備し、
前記処理装置は、ローカルクロック信号（ＣＬＫ）によってクロックが供給され、数値制御発振器（２５）を有する数値位相同期ループを含むクロック／データ復元回路（１６）と、前記クロック／データ復元回路に接続され、前記数値制御発振器（２５）の前記数値入力信号（ＮＣＯIN）の経時平均及び経時分散を計算し、この計算された前記平均及び前記分散が所定のコヒーレンス閾値より小さい場合は、前記データ信号が正確であると判断し、そのデータ信号のコヒーレンスを求めるプロセッサ回路（１７）とを含むことを特徴とする受信機。
【請求項１３】
前記データ処理装置（１５）は、前記数値制御発振器の前記数値入力信号（ＮＣＯIN）の計算された前記平均又は前記分散が所定のコヒーレンス閾値を超える場合に、即座に前記受信機の完全リセットを強制するように配置されることを特徴とする請求項１２に記載の受信機（１）。
【請求項１４】
ＦＳＫタイプの無線周波数受信機であることを特徴とする請求項１２に記載の受信機（１）。
【請求項１５】
前記ローカルクロック信号（ＣＬＫ）は、前記局部発振器（６）の基準信号から生成され、周波数は一連の分割器により分割され、前記ローカルクロック信号の周波数は、前記データ信号のデータフロー周波数の１０〜１００倍、好ましくはデータフロー周波数の４５倍に等しくなるように調整されることを特徴とする請求項１２に記載の受信機（１）。
【発明の詳細な説明】
【技術分野】
【０００１】
本発明は、情報伝達信号の受信機のためのデータ処理装置に関する。処理装置は、クロック復元回路及び／又はデータ復元回路ならびにプロセッサ回路を含む。処理装置は、特に、初めにデータ信号のコヒーレンスチェックを実行するために、信号受信機に備えられる。
【０００２】
また、本発明は、データ信号内のデータのコヒーレンスを評価できるデータ処理装置を含む、情報伝達信号の受信機に関する。
【０００３】
データ処理装置によるデータ信号のコヒーレンスチェックは、通信路又は有線で未処理データ信号を直接受信するものも含め、あらゆる種類の受信機に適用することが可能である。このデータ信号は、通常、ビットシーケンスによって経時的に定義される。「データコヒーレンス」は、本質的には、信号受信機によって受信した変調データ又は非変調データの信頼性を意味する。
【背景技術】
【０００４】
通常、デジタル無線周波数受信機は、送信機によって送信されて入ってくる無線周波数信号からデータを抽出する時に、復調器の出力において復調データ信号を生成する。搬送波周波数上の無線周波数信号におけるデータ変調には、様々な種類のものがありうる。データ変調は、周波数偏移キーイング（ＦＳＫ）、振幅偏移キーイング（ＡＳＫ）又はオンオフキーイング（ＯＯＫ）でありうる。
【０００５】
従来の受信機では、受信した無線周波数信号に含まれる情報が適切であると判断するため、即ち、データが正確であり、受信機によって使用可能であるかどうかを判断するためには、数ステップが必要となる。初めに、受信した無線周波数信号の周波数が、少なくとも１つのミキサー装置を介し、局部発振器からの発振信号によって変換される場合、ミキサー装置出力の中間信号の周波数は、特定の周波数範囲になければならない。また、受信した無線周波数信号の強度やパワーは、ノイズレベルを超える必要があり、これは受信機の特性を示す。強度又はパワーを、受信信号強度を用いてチェックしてもよい。また、データが受信機で処理される時に、復調データ信号に基づいて、データ復調後に誤差計算を実行してもよい。この誤差計算では、定義された閾値（ＣＲＣ）より小さい値が算出されなければならない。
【０００６】
次に、受信機は、データ信号に基づいて、ローカルクロックをデータクロックに同期することも必要である。これは、受信機によって受信した無線周波数信号のデータのデジタル処理を可能にするために実施する必要がある。一般に、この種類の従来の受信機によって、データ信号の正確なデータ遷移を踏まえて、完全なデータパックの取得が実行される。上に示すように、全データの誤差計算を実行してもよい。全データ処理後に、受信した無線周波数信号内のデータが正確でないと認められる場合は、全てをリセットし、受信機が、他の無線周波数信号を受信できるようにする。これは、データに誤りがある場合、長時間かけて全データを処理してから受信機をリセットするため、これが欠点となる。
【発明の概要】
【発明が解決しようとする課題】
【０００７】
そこで、本発明の目的は、逐次データ処理演算を全て実行する前に、迅速かつ即座にデータ信号のコヒーレンスをチェックでき、従来技術の欠点を克服するデータ処理装置を、情報伝達信号の受信機に備えることである。
【課題を解決するための手段】
【０００８】
従って、本発明は、独立請求項１で定義する特徴を有するデータ信号受信機のためのデータ処理装置に関する。
【０００９】
データ処理装置の特定の実施形態は、従属請求項２〜１１に定義する。
【００１０】
クロック／データ復元入力で受信したデータ信号内のデータが正確であり、ノイズ又は誤りがあるデータでないかどうかを迅速に決定できるということが、本発明のデータ処理装置の１つの利点である。これを実施するために、プロセッサ回路は、クロック／データ復元回路の数値位相同期ループにおける数値制御発振器入力信号の平均及び分散を計算する。この計算は、データ信号におけるバイナリ遷移後に、数値制御発振器からのパルス信号の各パルスで実行される。入力信号の経時平均及び経時分散が０で近くであれば、データ信号がコヒーレンスを有することを直接意味する。このような条件下では、処理装置で後続の演算を全て実行することができる。逆の条件が生じた場合には、受信機を即座にリセットするか、あるいは、データ処理装置によりトリガすることができる。
【００１１】
従って、本発明は、独立請求項１２に記載する特徴を含む情報伝達信号の受信機にも関する。
【００１２】
情報伝達信号の受信機のためのデータ処理装置の目的、利点及び特徴は、図面によって示す少なくとも１つの非限定的な実施形態に基づいた以下の記載によって、さらに明確となる。
【図面の簡単な説明】
【００１３】
【図１】本発明によるデータ処理装置を含むＦＳＫ信号受信機などのデータ信号受信機の一実施形態の概略図である。
【図２】本発明によるデータ処理装置のクロック／データ復元回路の様々な電子装置を示す図である。
【図３】本発明によるデータ処理装置のクロック／データ復元回路の様々な信号の時間グラフである。
【発明を実施するための形態】
【００１４】
以下の記載では、当技術分野の当業者によく知られているデータ信号受信機の全構成要素を、簡略化した方法で説明する。受信機は、例えばＦＳＫ信号受信機であってもよいが、本発明によるデータ処理装置を使用できる他の種類の受信機であってもよい。
【００１５】
図１はデータ信号受信機１を示す。この信号受信機は、例えば、無線周波数（ＲＦ）信号受信機であって、本発明によるデータ処理装置１５を有し、データ信号ＤOUTのコヒーレンスを計算することができる。
【００１６】
無線周波数信号受信機１は、従来のＦＳＫ無線周波数信号受信機であってもよく、アンテナ２によって受信されるＲＦ信号は、２つの異なる直交分岐に変換された周波数であってよい。各分岐は、局部発振器６によって供給される発振信号により周波数変換を実行するミキサー４、５を含む。局部発振器６は、同相発振信号ＳIと直交位相発振信号ＳQを供給する周波数シンセサイザを含んでもよい。一般に、この周波数シンセサイザは、水晶発振器７に接続され、シンセサイザの周波数位相同期回路に既定の基準周波数信号を供給する。
【００１７】
第１の分岐では、第１の、例えば高周波ミキサー４が、アンテナ２によって受信されて低ノイズ増幅器（ＬＮＡ）３によって増幅されるＲＦ信号を、同相発振信号ＳIとミキシングして、中間同相信号ＩINTを生成する。第２の分岐では、第２の、例えば、高周波ミキサー５が、フィルタリング及び増幅されたＲＦ信号を直交位相発振信号ＳQとミキシングして、中間直交位相信号ＱINTを供給する。中間信号ＩINT及びＱINTは、例えば、直接周波数変換後のベースバンド信号であってもよい。次に、この中間信号ＩINT及びＱINTは、それぞれローパスフィルタ８及び９でそれぞれフィルタリングされ、フィルタリングされた信号を生成する。そして、フィルタリングされた信号は、従来の復調器１２のデータ復調前に、それぞれのリミッターアンプ１０及び１１を通過する。
【００１８】
フィルタリング及び増幅された中間同相信号と、フィルタリング及び増幅された直交位相信号とに基づいて、復調器１２は、２値信号又はデータフローであるデータ信号ＤOUTを供給する。２つの中間同相信号ＩINT及び直交位相信号ＱINTは、データ復調に必要である。例えば、受信したＲＦ信号内のデータの周波数キーシフトの場合は、周波数偏差の符号間で区別することができる。
【００１９】
復調器１２は、単純なＤ型フリップフロップであってもよく、入力Ｄで、例えば、中間同位相信号ＩINTを受信して、クロック端で中間直交位相信号ＱINTによってクロックが供給される。このフリップフロップにより、フリップフロップ出力は、各データビットの状態に従って、バイナリデータ信号ＤOUTでレベル１又はレベル０となる。
【００２０】
また、ＲＦ信号受信機は、復調器１２からバイナリデータ信号ＤOUTを受信するデータ処理装置１５を含む。このバイナリデータ信号は、ローカルクロック信号ＣＬＫによってクロックが供給されるクロック／データ復元回路１６に供給される。クロック／データ復元回路は、図２及び３を参照して以下でさらに詳細に説明するように、数値制御発振器（ＮＣＯ）が配置された数値位相同期ループを主に含む。また、データ処理装置１５は、クロック／データ復元回路１６に接続される少なくとも１つのプロセッサ回路１７を含む。プロセッサ回路は、数値入力信号、又は数値制御発振器の２値入力ワードＮＣＯINの経時平均及び経時分散を計算することができる。例えば、よく知られている移動平均アルゴリズム及び移動最小最大アルゴリズムによって、経時平均及び経時分散を容易に計算することができる。従って、この計算によって、受信したＲＦ信号のデータのコヒーレンスの指標を抽出することが可能になる。プロセッサ回路１７によって計算される経時平均及び経時分散が、所定の閾値を超える場合は、受信したＲＦ信号のデータに誤りがあると判断し、受信機を即座にリセットしてもよい。データ信号が、ノイズのみに関係する場合も、同じ処理を行う。
【００２１】
また、プロセッサ回路１７は、クロック／データ復元回路から、復元されたクロック信号ＲHと復元されたデータフロー信号ＲDを受信してもよい。この処理装置は、受信機によって受信した信号内のデータが正確であると判断された場合に、これらの復元された信号に基づいて、プロセッサ回路によりデータ処理を実行してもよい。従って、この処理装置は、システム内で迅速に動作するためのメモリを含むデータ収集システムの一部を形成してもよい。復元されたクロック及びデータ信号は、メモリに保存してもよい。
【００２２】
クロック／データ復元回路１６及びプロセッサ回路１７にクロックを供給するローカルクロック信号ＣＬＫは、局部発振器６の水晶発振器７からの基準周波数信号に基づいて得てもよい。図に示さないいくつかの分割器によって、ローカルクロック信号ＣＬＫを供給するために基準周波数信号の周波数を分割可能にしてもよい。
【００２３】
単に非限定的な例として、基準信号周波数は、２６ＭＨｚのオーダーであってもよく、一方で、ローカルクロック信号周波数ＣＬＫは１ＭＨｚとなるように選択してもよい。しかし、このローカルクロック信号ＣＬＫの周波数は、データ信号のデータフロー周波数の少なくとも１０倍である必要があり、１００倍が好ましい。例えば、１０キロビット／秒のデータフローの場合、ローカルクロック信号ＣＬＫは、１ＭＨｚのオーダーの周波数を有してよい。これにより、図２及び３を参照して以下に説明するように、バイナリデータ信号ＤOUTをオーバーサンプリングすることができる。
【００２４】
図２は、データ処理装置のクロック／データ復元回路１６の様々な構成要素を示す。この回路により、受信機によって受信したデータ信号に従って、データ信号のデータ及びクロックを取り出したり、あるいは、復元したりすることが可能となる。これを実施するために、データ信号のクロック／データ復元演算は、受信信号内の一過性のパルスを除去して、送信されたビットフローを復元することから成る。特定の符号化に従って、データ信号ＤOUTはビットのシーケンスで構成され、これは、異なる値の１ビットが遷移する前に、同じ値の最大４つの連続したビットを含んでもよい。これは、データ処理装置のクロック／データ復元回路１６が適切に動作することを可能にする。
【００２５】
クロック／データ復元回路１６は、数値位相同期ループを含む。データ信号ＤOUT、即ちデータフローは、ローカルクロック信号ＣＬＫを使用してオーバーサンプリングされる。このローカルクロック信号ＣＬＫは、上に示すように、局部発振器の水晶発振器から得られる。数値位相同期ループでは、回路は、出力において２つの直交位相パルス信号ＩP及びＱPを発生させる数値制御発振器（ＮＣＯ）２５及び２つのカウンタ２１、２４を含む。ＮＣＯ発信器２５及び２つのカウンタ２１、２４には、ローカルクロック信号ＣＬＫによってクロックが供給される。２つのカウンタは、回路入力におけるデータ信号のレベルに従って、カウントもカウントダウンも可能である。２つのカウンタは、符号付きであり、リセットすることができる。また、２つのカウンタは、「反転」を防止するために終端位置ロックを含む。
【００２６】
データ信号ＤOUTが、「１」のデータビットを定義する高いレベルにある場合、２つのカウンタ２１、２４は、データビットの継続時間に少なくとも対応する時間にカウントを実行する。しかし、データ信号ＤOUTが、「０」データビットを定義する低いレベルにある場合、２つのカウンタ２１、２４は、少なくともデータビットの継続時間の間にカウントダウンを実行する。第１のカウンタ２１は、クロックカウンタであり、第２のカウンタ２４は、データビットカウンタである。
【００２７】
第１のカウンタ２１は、ビット遷移の両側でデータフローを統合するクロックカウンタである。ビット遷移は、データ信号の「０」状態から「１」状態への変化、又は、データ信号の「１」状態から「０」状態への変化に関係する。連続したビットが、「０」又は「１」の同じ状態である場合、１つのビットから別の連続したビットに変化する間は、データ信号ＤOUTには２値遷移が発生しない。直交位相パルス信号ＱPは、数値制御発振器２５によって生成され、第１カウンタのリセット入力ＱRに供給される。パルスＱPの周波数及び位相が、回路１６の入力におけるデータ信号ＤOUTの周波数及び位相に正確に合わせられる場合、出力ＨOUTは、データ信号の２値遷移後の各リセットの瞬間もゼロのままである。しかし、数値制御発振器２５の出力ＩPに供給される復元されたクロック信号ＲHの復元時にシフトが発生すると、カウンタ２１の入力ＱRでリセットした時点で、クロックカウンタ２１の出力に正のエラー又は負のエラーが発生する。
【００２８】
直交位相パルス信号ＱPの各パルスの時点で、図３に部分的に示すエラーＥの極性は、処理されるデータ信号ビットの値に直接関係する。このエラーは、処理されるデータ信号ビットの値を踏まえた、第２のビットカウンタ２４の出力信号ＢOUTによって、乗算器２２で乗算される。これにより、データビット値とは無関係なエラーが生じる。数値制御発振器２５の出力でのパルス信号ＩP及びＱPの発生周波数が、データ信号クロック周波数未満である場合、出力ＨOUTでは、データビットが「１」であればエラーは正となり、データビットが「０」であればエラーは負となる。従って、出力ＨOUTでのこのエラーは、データビットが「１」である場合にエラーが正であれば「＋１」を、データビットが「０」である場合にエラーが負であれば「−１」を、第２のカウンタ２４の出力ＢOUTで、それぞれ乗算する必要がある。
【００２９】
数値制御発振器の出力でのパルス信号のＩP及びＱPの発生周波数が、データ信号クロック周波数より高い場合も、同じことが言える。しかし、この場合は上記のエラーとは異なり、出力ＨOUTでのエラーは、データビットが「０」である場合にエラーが正であれば「−１」を、データビットが「１」である場合にエラーが負であれば「＋１」を、第２のカウンタ２４の出力ＢOUTで、それぞれ乗算する必要がある。
【００３０】
乗算器２２の出力信号は、数値ループフィルタ２３でフィルタリングされる。ループフィルタでは、Ｄ型フリップフロップ要素を備えてもよく、数値制御発振器２５の直交位相パルス信号ＱPによってクロックが供給される。このフリップフロップ要素によって、ループフィルタは、数値制御発振器２５に数値入力信号又は２値ワードＮＣＯINを供給することができる。この数値入力信号は、データ信号の２値遷移後に、直交位相パルス信号ＱPの各パルスで供給される。データ信号の連続した２つのビットで２値遷移が実行されなかった場合、数値入力信号の前値のみが数値制御発振器２５に供給される。ループフィルタによって供給される数値入力信号又は２値ワードＮＣＯINは、出力値ＨOUT、即ち、カウンタ２１のリセット時点でループフィルタ２３によって重み付けされた、又は減衰されたエラーＥを表す。２値遷移直後、この入力信号ＮＣＯINは、直交位相パルスＱP時点で、第１のクロックカウンタ２１の出力からのデータに従って、周波数と位相を訂正する。
【００３１】
この信号は、ループ２３、例えば、係数０．２５によって減衰する。無論、受信した無線周波数信号からのデータが正確である場合、エラーＥは、データ信号の各２値遷移後に、直交位相パルス信号ＱPの各パルスの瞬間にゼロになる。数値入力信号ＮＣＯINのプロセッサ回路での平均及び分散の計算によって、この信号の経時平均及び経時分散の両方が０近くであることを、即座に判断することが可能となる。従って、これは、データ信号がコヒーレンスを有することを意味する。従って、このデータ信号のコヒーレンスチェックでは、データ信号内のいくつかの２値遷移は、データ信号のコヒーレンスを求めるのに十分となりうる。コヒーレンスを有するデータ信号とは異なり、ノイズ分散は、ゼロにならず、所定のコヒーレンス閾値を超えている。従って、これにより、受信した無線周波数信号内の正確なデータを、誤りがあるデータや単なるノイズから区別することができる。
【００３２】
第１のカウンタ２１の出力信号ＨOUT及び数値制御発振器２５の数値入力信号ＮＣＯINは、ｎビット２値ワード、例えば、少なくとも５ビット（図示せず）であることに留意する。その結果、ループフィルタのＤ型フリップフロップ要素は、２値ワードの各ビットに対するＤ型フリップフロップ、例えば、直交位相パルス信号ＱPによってそれぞれクロックが供給される５つのフリップフロップを含んでもよい。しかし、第２のカウンタ２４の出力信号は、１ビットの信号である。従って、２値ワードＮＣＯINは、−２n〜２nで変化しうる。
【００３３】
クロック／データ復元回路１６の数値位相同期ループが作動するためには、原則としてデータ信号ＤOUTの遷移を検出する必要がある。これを実施するために、第２のカウンタ２４はまた、データ信号ＢOUTを遷移検出器２６に供給し、遷移検出器は、数値制御発振器２５から同相パルス信号ＩPも受信する。この遷移検出器は、シフトレジスタによって形成してもよい。この同相パルス信号ＩPは、復元されたクロック信号ＲHを定義する第２のカウンタ２４のリセット入力ＩRに供給される。この遷移検出器２６は、１つの出力で復元されたデータフロー信号ＲDを供給する。上に示すように、連続したデータ信号ビットに値の変化がない場合、遷移検出器２６の別の出力は、ループフィルタ２３における前値を保持する。
【００３４】
クロック／データ復元回路の作動時間及び安定性は、数値位相同期ループ利得及びオーバーサンプリング係数に依存する。このオーバーサンプリング係数は、ローカルクロック信号ＣＬＫの周波数に関係している。オーバーサンプリングを４５回実行する場合、利得は０．２５であり、許容可能な安定性を有する最小作動時間に対応する。この０．２５の利得は、２ビットシフトによって容易に実装可能である。
【００３５】
回路１６が全体的にデジタル式であることから、ローカルクロック信号ＣＬＫの周波数は独立変数であり、回路は、定数ｆ（データフロー）／ｆ（ＣＬＫ）の全ての組み合せに対して、完全に同じ方法で動作する。従って、ローカルクロック信号ＣＬＫの周波数は、４５・ｆ（データフロー）に固定してもよい。例えば、４５に等しいオーバーサンプリング係数を選択した場合は、復調器出力で観測可能な過渡パルスの典型的な大きさに直接関係しており、実際には、復元されたクロックジッタを定義する。また、この値は、パラメータ化することが可能なデータフロー周波数と、例えば１３又は２６ＭＨｚの値を有しうる水晶発振器周波数に直接関係している。
【００３６】
デジタル信号入力ＮＣＯINの（移動）平均及び（移動）分散の計算は、これらの値の振幅の実効値（ＲＭＳ）に等しい計算に対応する。データ信号ＤOUTのデータクロックが正しくローカルクロックに合わされる場合、数値制御発振器２５の入力におけるＲＭＳ値はゼロに近くなる。例えば、ノイズ源の場合のように、受信したデータが不明確であればあるほど、数値制御発振器２５の入力での関連するＲＭＳ値が増大し、訂正が必要になる。
【００３７】
図３は、本発明によるデータ処理装置のクロック／データ復元回路の様々な信号を経時的に、簡略化した方法で示している。特に、図３は、数値制御発振器の２つの同相パルス信号ＩP及び直交位相パルス信号ＱP、第１のクロックカウンタの出力信号ＨOUT、第２のビットカウンタの出力信号ＢOUT及びデータ信号ＤOUTを示す。
【００３８】
図に示す場合では、出力信号ＨOUTが０にきわめて近く、カウンタをリセットするために数値制御発振器によってパルスＱPが供給され、データ信号の「１」から「０」に２値遷移が発生する。これは、復元されたクロック信号が適切にデータクロックに調整され、受信機によって受信した正確なデータの復元されたデータ信号が適切に供給されたことを意味する。従って、このデータ信号は、コヒーレンスを有すると判断してもよい。正又は負のエラーＥが発生すると、即ち、リセットの瞬間には、第１のカウンタの出力が０ではなく、数値制御発振器により訂正が実行される。パルス信号ＩP及びＱPの周波数及び位相は、このようにして適合される。「１」ビットがある場合、第２のカウンタは、ローカルクロック信号ＣＬＫの各ストロークで１単位を加算するカウントを実行する。しかし、「０」ビットがある場合は、第２のカウンタは内部クロック信号ＣＬＫの各ストロークで１単位を減算するカウントダウンを実行する。これは、第１のカウンタでも同じことが言えるが、直交位相のパルス信号ＱPによるリセット動作が、同相パルス信号ＩPの２パルスの間に発生する。三角形で示す出力信号ＨOUT及びＢOUTは、各クロックストロークＣＬＫでの加算又は減算の演算に対して、実際にはステップ状である。
【００３９】
上記の記載から、当業者は、本願特許請求の範囲で定義する発明の範囲から逸脱することなく、データ伝達信号の受信機のためのデータ処理装置のいくつかの改変を考案し得る。データ処理装置のためのデータ信号は、復調器を使用せずに、送信機からデータ伝送路又は有線により直接供給してもよい。無線周波数信号受信機の場合は、データ信号をデータ処理装置に供給する前に周波数変換を２回実行する必要がある。従って、この受信機は、ＲＦ信号をＡＳＫ又はＯＯＫによって復調して、データ処理装置によってチェックされるデータ信号を供給してもよい。
【図１】
0005385355.tif 000002
【図２】
0005385355.tif 000003
【図３】
0005385355.tif 000004